(57)【要約】【課題】試し刷りが行われる画像形成装置の生産性を向上させる。【解決手段】画像形成装置１は、予約されたジョブの試し刷りをして画像形成を一時停止し、不揮発メモリ１２０に予約されたジョブのうち予約順が最初のジョブの試し刷りが実行されて画像形成が停止している場合に、このジョブとは異なる他のジョブの何れかを追い越し確認出力ジョブ選択画面Ｇ２より指定して試し刷りを実行する旨の指示をタッチパネル３２より受け付け、この受け付けたジョブの試し刷りを実行する。【選択図】図３
2010286625.tif 000002
【特許請求の範囲】
【請求項１】
用紙に画像を形成する画像形成部を備え、予約されたジョブの試し刷りをして前記画像形成部の画像形成を一時停止する画像形成装置であって、
操作部と、
前記予約されたジョブのうち予約順が最初のジョブの試し刷りをさせて前記画像形成部の画像形成が一時停止している場合に、当該ジョブとは異なる他のジョブの試し刷りを実行させる旨の指示が前記操作部から入力された際に、当該入力されたジョブの試し刷りを前記画像形成部に実行させる制御部と、
を備えることを特徴とする画像形成装置。
【請求項２】
前記制御部は、前記操作部より入力されたジョブの試し刷りを実行させて前記画像形成部の画像形成が一時停止している場合に、当該ジョブの設定変更が前記操作部から入力された際に、当該入力されたジョブの設定変更を行うことを特徴とする請求項１に記載の画像形成装置。
【請求項３】
前記制御部は、前記操作部より入力されたジョブの試し刷りを実行させて前記画像形成部の画像形成が一時停止している場合に、当該ジョブの試し刷りを行う設定の解除を示す旨の指示が前記操作部から入力された際に、当該ジョブの試し刷りを行う設定を解除することを特徴とする請求項１に記載の画像形成装置。
【請求項４】
前記制御部は、前記予約順が最初のジョブの試し刷りを実行させて前記画像形成部の画像形成が一時停止している場合に、当該ジョブを実行するための本出力、設定変更、又は確認出力を実行する旨の指示が前記操作部より入力された際に、当該入力に基いた処理を実行することを特徴とする請求項１〜３の何れか一項に記載の画像形成装置。
【請求項５】
表示部を更に備え、
前記制御部は、前記予約順が最初のジョブの試し刷りを実行させて前記画像形成部の画像形成が一時停止している場合に、当該ジョブとは異なる他のジョブのうち試し刷りが可能なジョブの一覧を前記表示部に表示させることを特徴とする請求項１〜４の何れか一項に記載の画像形成装置。
【請求項６】
画像形成装置において予約されたジョブの試し刷りをして画像形成を停止する際の画像形成方法であって、
前記画像形成装置によって、前記予約されたジョブのうち予約順が最初のジョブの試し刷りが実行されて画像形成が停止している場合に、当該ジョブとは異なる他のジョブを指定して当該ジョブの試し刷りを行う工程を有することを特徴とする画像形成方法。
【発明の詳細な説明】
【技術分野】
【０００１】
本発明は、画像形成装置、及び画像形成方法に関する。
【背景技術】
【０００２】
画像形成装置においては、ユーザが事前に印刷物を確認するために、実行を指示したジョブの試し刷り（確認出力）が行われることがある。確認出力においては、例えば、予約されたジョブの印刷物を一部だけ出力する。確認出力による印刷物が出力されると、画像形成装置は画像形成を停止する。ユーザは、この印刷物を視認し、このままの設定でジョブを実行させるか、設定変更を行ってからジョブを実行させるかを判断する。
【０００３】
確認出力が行われた後の画像形成装置は、画像形成を停止している。ユーザが指示を入力するまで、予約された他のジョブの実行を行うことができないため、画像形成装置の生産性が低下する。確認出力の際に無駄な待ち時間を発生させず、予約されたジョブの実行を効率よく行うための技術が種々考案されている。
【０００４】
特許文献１には、確認出力が行われて画像形成が停止している間に、予約された他のジョブの実行を行う画像処理装置が記載されている。
特許文献２には、あるジョブの実行中に、予約された他のジョブを選択し、このジョブの確認出力を現在出力中のジョブの終了後に実行する印刷システムが記載されている。
【先行技術文献】
【特許文献】
【０００５】
【特許文献１】特開平１０−２７８３８８号公報
【特許文献２】特開２００８−１６５７０８号公報
【発明の概要】
【発明が解決しようとする課題】
【０００６】
しかしながら、特許文献１に記載の技術では、確認出力が行われて画像形成が停止している間に、確認出力が行われたジョブよりも予約順が後のジョブの実行（追い越し出力）をすることはできるが、追い越し出力が可能なジョブは、予約されたジョブの中で予め定められた優先順位の一番高いジョブに限られる。また、確認出力が設定されているジョブに限定して追い越し出力を行うことはできないため、追い越し出力が全て完了するまで、予約順が最初のジョブの本出力を行うことはできない。つまり、追い越し出力によって本出力ができず、余計な待ち時間が発生する可能性がある。
【０００７】
先行文献２に記載の技術では、確認出力が行われて画像形成が停止している間に、予約された他のジョブの確認出力を行うことはできるが、確認出力のタイミングは予約順が最初のジョブ（先頭ジョブ）の出力完了時に限られる。確認出力が行われて画像形成が停止している間に、予約順が後のジョブの確認出力を行うことはできない。また、予め優先的に確認出力をするジョブを指定する必要があるため、ユーザの作業状況に応じて確認出力と本出力の順番を決定することができない。つまり、確認出力が終わったジョブの印刷物の確認完了後、すぐに本出力を開始したい場合等には、印刷物の確認に要する時間を考慮して予めジョブを指定しなければならない。
【０００８】
本発明は上記課題に鑑みてされたものであり、その目的とするところは、試し刷りが行われる画像形成装置の生産性を向上させることである。
【課題を解決するための手段】
【０００９】
上記課題を解決するために、請求項１に記載の発明は、
用紙に画像を形成する画像形成部を備え、予約されたジョブの試し刷りをして前記画像形成部の画像形成を一時停止する画像形成装置であって、
操作部と、
前記予約されたジョブのうち予約順が最初のジョブの試し刷りをさせて前記画像形成部の画像形成が一時停止している場合に、当該ジョブとは異なる他のジョブの試し刷りを実行させる旨の指示が前記操作部から入力された際に、当該入力されたジョブの試し刷りを前記画像形成部に実行させる制御部と、
を備えることを特徴とする。
【００１０】
請求項２に記載の発明は、請求項１に記載の発明において、
前記制御部は、前記操作部より入力されたジョブの試し刷りを実行させて前記画像形成部の画像形成が一時停止している場合に、当該ジョブの設定変更が前記操作部から入力された際に、当該入力されたジョブの設定変更を行うことを特徴とする。
【００１１】
請求項３に記載の発明は、請求項１に記載の発明において、
前記制御部は、前記操作部より入力されたジョブの試し刷りを実行させて前記画像形成部の画像形成が一時停止している場合に、当該ジョブの試し刷りを行う設定の解除を示す旨の指示が前記操作部から入力された際に、当該ジョブの試し刷りを行う設定を解除することを特徴とする。
【００１２】
請求項４に記載の発明は、請求項１〜３の何れか一項に記載の発明において、
前記制御部は、前記予約順が最初のジョブの試し刷りを実行させて前記画像形成部の画像形成が一時停止している場合に、当該ジョブを実行するための本出力、設定変更、又は確認出力を実行する旨の指示が前記操作部より入力された際に、当該入力に基いた処理を実行することを特徴とする。
【００１３】
請求項５に記載の発明は、請求項１〜４の何れか一項に記載の発明において、
表示部を更に備え、
前記制御部は、前記予約順が最初のジョブの試し刷りを実行させて前記画像形成部の画像形成が一時停止している場合に、当該ジョブとは異なる他のジョブのうち試し刷りが可能なジョブの一覧を前記表示部に表示させることを特徴とする。
【００１４】
請求項６に記載の発明は、
画像形成装置において予約されたジョブの試し刷りをして画像形成を停止する際の画像形成方法であって、
前記画像形成装置によって、前記予約されたジョブのうち予約順が最初のジョブの試し刷りが実行されて画像形成が停止している場合に、当該ジョブとは異なる他のジョブの試し刷りを行う工程を有することを特徴とする。
【発明の効果】
【００１５】
本発明によれば、試し刷りが行われる画像形成装置の生産性を向上することができる。
【図面の簡単な説明】
【００１６】
【図１】本実施の形態における画像形成装置の概略断面図である。
【図２】図１に示す画像形成装置の制御ブロック図である。
【図３】図２に示す制御部によって実行される追い越し処理のフローチャートである。
【図４】図２に示すＬＣＤに表示される確認停止画面の一例である。
【図５】図２に示す制御部によって実行される追い越し確認出力ジョブ選択処理のフローチャートである。
【図６】図２に示すＬＣＤに表示される追い越し確認出力ジョブ選択画面の一例である。
【図７】図２に示す制御部によって実行される追い越し確認出力処理のフローチャートである。
【図８】図２に示すＬＣＤに表示される追い越し確認出力停止画面の一例である。
【発明を実施するための形態】
【００１７】
以下、図を参照して本発明の実施の形態を詳細に説明する。
まず、構成を説明する。
図１に、本実施の形態における画像形成装置１の概略断面構成図を示す。
【００１８】
図１に示すように、画像形成装置１は、原稿から画像を読み取り、読み取った画像を用紙Ｐに画像形成したり、外部装置等から画像データを含むページデータや各画像データの画像形成条件等の設定情報を含むジョブデータを受信し、受信したジョブデータに基づいて画像を用紙Ｐ上に形成したりする本体部１ａと、画像が形成された用紙に各種後処理を施す後処理部５０等を備えたデジタル複合機である。本体部１ａは、画像読取部２０と、操作表示部３０と、プリント部４０等を備えて構成される。
【００１９】
画像読取部２０は、ＡＤＦ（Auto Document Feeder）である自動原稿送り部２１と読取部２２とを備え、操作表示部３０により受け付けられた設定情報に基づいて原稿ｄの画像を読み取る。自動原稿送り部２１の原稿トレイＴ１に載置された原稿ｄは、コンタクトガラスに搬送される。搬送された原稿ｄは、ＣＣＤ（Charge Coupled Device）２２ａによる光学系処理により片面又は両面の画像が読み取られる。ＣＣＤ２２ａによって読み取られる画像は、図形や写真等に限らず、文字や記号等のテキストも含まれる。
【００２０】
画像読取部２０により読み取られた画像の画像データ（アナログ画像信号）は、後述する画像制御基板の読取処理部１４０に出力され、読取処理部１４０においてＡ／Ｄ変換され各種画像処理が施された後、プリント部４０に出力される。
【００２１】
操作表示部３０は、ＬＣＤ（Liquid Crystal Display）３１、ＬＣＤ３１を覆うように設けられたタッチパネル３２、その他図示しない操作キー群から構成され、ユーザからの指示を受け付けその操作信号を制御部１１０に出力する。操作表示部３０は、制御部１１０から入力される表示信号に従って、各種操作指示や設定情報を入力するための各種設定画面や各種処理結果等を表示する。
【００２２】
ＬＣＤ３１は、ジョブ実行や、確認出力の実行を指示するための操作画面や、後述する確認停止画面Ｇ１、追い越し確認出力ジョブ選択画面Ｇ２、及び追い越し確認出力停止画面Ｇ３を表示する。また、タッチパネル３２等からの入力により、これらの各画面により受け付けられた指示を示す操作信号を後述する制御部１１０に出力する。
【００２３】
プリント部４０は、入力されたジョブデータに基づいて、電子写真方式の画像形成処理を行うものであり、給紙部４１、給紙搬送部４２、画像形成部４３、搬出部４４を備えて構成される。
【００２４】
給紙部４１は、複数の給紙トレイ４１ａ、ピックローラ４１ｂ、手差しトレイＴ２等を備える。給紙トレイ４１ａは、給紙トレイ４１ａ毎に用紙の種類毎に予め識別された用紙Ｐが収容されており、ピックローラ４１ｂによって用紙Ｐを最上部から一枚ずつ給紙搬送部４２に向けて搬送する。手差しトレイＴ２は、ユーザのニーズに合わせて様々な種類の用紙Ｐを積載可能となっており、給紙ローラによって積載された用紙Ｐを最上部から一枚ずつ給紙搬送部４２に向けて搬送する。
【００２５】
給紙搬送部４２は、給紙トレイ４１ａ又は手差しトレイＴ２から搬送された用紙Ｐを、複数の中間ローラ、レジストローラ４２ａ等を経て転写装置４３ａへと搬送する。
また、給紙搬送部４２は、搬送路切換板により、片面画像形成処理済みの用紙Ｐを両面搬送路に搬送し、再び中間ローラ、レジストローラ４２ａを経て転写装置４３ａへと搬送する。
【００２６】
画像形成部４３は、感光体ドラム、帯電装置、画像データに基づくレーザ光を出力するレーザ出力部とレーザ光を主走査方向に走査させるポリゴンミラーとを有する露光装置、現像装置、転写装置４３ａ、クリーニング部、定着装置４３ｂを備え、後述する不揮発メモリ１２０に記憶されているジョブデータに基づいて用紙に画像を形成する。具体的には、帯電装置により帯電された感光体ドラムに露光装置でレーザ光を照射して静電潜像を形成する。そして、現像装置は、静電潜像が形成された感光体ドラムの表面に帯電したトナーを付着させて静電潜像を現像する。現像装置により感光体ドラム上に形成されたトナー像は、転写装置４３ａにおいて用紙Ｐに転写される。また、用紙Ｐにトナー像が転写された後、感光体ドラムの表面の残留トナー等は、クリーニング部により除去される。
【００２７】
定着装置４３ｂは、給紙搬送部４２によって搬送された用紙Ｐに転写されたトナー像を熱定着する。定着処理された用紙Ｐは、搬出部４４の排紙ローラに挟持されて搬出口から後処理部５０へ搬送される。
【００２８】
後処理部５０は、画像形成された用紙のソート処理を行うソートユニット、パンチ処理を行うパンチユニット、設定された綴じ位置に用紙の束を綴じるステイプル処理を行うステイプルユニット、折り処理を行う折りユニット、断裁処理を行う断裁ユニット等の各種後処理ユニット、本体部１ａにより画像形成された用紙や各種後処理が施された用紙が排紙され積載される排紙トレイＴ３等を備える。
【００２９】
図２に、画像形成装置１の制御ブロック図を示す。
図２に示すように、画像形成装置１は、本体部１ａとプリンタコントローラ１ｂから構成されている。画像形成装置１は、プリンタコントローラ１ｂのＬＡＮＩＦ（Local Area Network InterFace）１４を介してネットワーク３上の外部装置２と相互に情報の送受信が可能に接続されている。
【００３０】
本体部１ａは、画像読取部２０、操作表示部３０、プリント部４０、画像制御基板１００を備えて構成される。なお、図１で説明した各部と同一の構成には、同一の符号を付してその説明を省略する。
【００３１】
画像制御基板１００は、制御部１１０、不揮発メモリ１２０、ＲＡＭ（Random Access Memory）１３０、読取処理部１４０、圧縮ＩＣ１５０、ＤＲＡＭ（Dynamic Random Access Memory）制御ＩＣ１６０、画像メモリ１７０、伸長ＩＣ１８０、書込処理部１９０等から構成される。
【００３２】
制御部１１０は、ＣＰＵ（Central Processing Unit）等から構成され、不揮発メモリ１２０に格納されているシステムプログラム及び各種アプリケーションプログラムの中から指定されたプログラムを読み出してＲＡＭ１３０に展開する。制御部１１０は、ＲＡＭ１３０に展開されたプログラムとの協働で、各種処理を実行し、画像形成装置１の各部を集中制御する。
例えば、制御部１１０は、操作表示部３０や外部装置２から入力される指示信号に従って、コピーモード、プリンタモード、スキャナモードを切り替え、複写、プリント、画像データの読取等の制御を行う。
【００３３】
不揮発メモリ１２０は、画像形成に係る各種処理プログラム及びデータの他、本実施の形態に係る処理プログラム、各種プログラムで処理されたデータや各部の初期データ等を記憶する。また、不揮発メモリ１２０は、予約されたジョブのジョブデータをプリントキューとして記憶する。ジョブデータには、ジョブを識別するためのジョブＩＤや、出力部数や頁数、片面／両面印刷を識別する情報や、濃度等の基本設定や、後処理部５０による後処理の内容、原稿のセット方向やサイズ等の原稿設定等の他、各ジョブが確認出力を行うか否かを識別する情報が含まれる。制御部１１０は、予約されたジョブが確認出力を行うものである場合には、出力部数のうち最初の一部のみを画像形成部４３に出力させ、画像形成部４３による画像形成を一時停止させる。なお、予約されたジョブが確認出力を行うものであるか否かを制御部１１０が判断する方法はこれに限られず、公知の様々な方法を採用してよい。
【００３４】
ＲＡＭ１３０は、制御部１１０により実行される各種プログラム及びこれらプログラムに係る各種データ等を一時的に記憶するワークエリアを形成する。
【００３５】
読取処理部１４０は、画像読取部２０の画像読取制御部２００から入力されるアナログ画像信号に、アナログ処理、Ａ／Ｄ変換処理、シェーディング処理等の各種処理を施した後、デジタル画像データを生成する。生成された画像データは、圧縮ＩＣ１５０に出力される。
【００３６】
圧縮ＩＣ１５０は、入力されたデジタル画像データに圧縮処理を施してＤＲＡＭ制御ＩＣ１６０に出力する。
【００３７】
ＤＲＡＭ制御ＩＣ１６０は、制御部１１０からの指示に従って、圧縮ＩＣ１５０による画像データの圧縮処理及び伸長ＩＣ１８０による圧縮画像データの伸長処理を制御するとともに、画像メモリ１７０への画像データの入出力制御を行う。
例えば、ＤＲＡＭ制御ＩＣ１６０は、画像読取部２０により読み取られた画像信号の保存が指示されると、読取処理部１４０から入力された画像データの圧縮処理を圧縮ＩＣ１５０により実行させて、圧縮画像データを画像メモリ１７０の圧縮メモリ１７１に格納させる。また、圧縮メモリ１７１に格納された圧縮画像データのプリント出力が指示されると、圧縮メモリ１７１から圧縮画像データを読み出し、伸長ＩＣ１８０により伸長処理を施してページメモリ１７２に格納させる。さらに、ページメモリ１７２に格納された画像データのプリント出力が指示されると、ページメモリ１７２から画像データを読み出して書込処理部１９０に出力する。
【００３８】
画像メモリ１７０は、ＤＲＡＭから構成される圧縮メモリ１７１とページメモリ１７２とを備える。圧縮メモリ１７１は、圧縮画像データを格納するためのメモリであり、ページメモリ１７２は、プリント出力用の画像データ（プリントデータ）を一時的に格納するためのメモリである。
【００３９】
伸長ＩＣ１８０は、圧縮画像データに伸長処理を施す。
【００４０】
書込処理部１９０は、ＤＲＡＭ制御ＩＣ１６０から入力された画像データに基づいて、画像形成のためのプリントデータを生成し、プリント部４０に出力する。
【００４１】
画像読取部２０は、ＣＣＤ２２ａ、画像読取制御部２００、その他ここでは図示しないが図１に示した自動原稿送り部２１、読取部２２等から構成される。画像読取制御部２００は、自動原稿送り部２１、読取部２２等を制御して、原稿面の露光走査を実行させ、光の反射光をＣＣＤ２２ａにより光電変換を行わせて画像を読み取る。読み取られたアナログ画像信号は読取処理部１４０に出力される。
【００４２】
操作表示部３０は、ＬＣＤ３１、タッチパネル３２、操作表示制御部３００、その他テンキー等の操作キー群から構成される。操作表示制御部３００は、制御部１１０から入力される表示信号に従って、各種設定条件を入力するための各種画面や各種処理結果等をＬＣＤ３１に表示させる。また、操作表示制御部３００は、各種スイッチやボタン、テンキー、操作キー群又はタッチパネル３２等から入力される操作信号を制御部１１０に出力する。
【００４３】
プリント部４０は、図１に示した画像形成部４３等のプリント出力に係る各部やプリント制御部４００を備えて構成される。プリント制御部４００は、制御部１１０からの指示に従って画像形成部４３等のプリント部４０の各部の動作を制御し、書込処理部１９０から入力されたジョブデータに基づいて用紙Ｐに画像形成を行わせると共に、制御部１１０からの指示に従って後処理部５０の各部を動作させる指示信号を出力する。
【００４４】
次に、プリンタコントローラ１ｂの各部について説明する。プリンタコントローラ１ｂは、画像形成装置１をネットワークプリンタとして使用する場合に、ネットワーク３に接続される外部装置２から画像形成装置１に入力されるジョブデータやジョブの管理及び制御を行うものである。プリンタコントローラ１ｂは、外部装置２からこれらのデータを受信し、本体部１ａへ送信する。
【００４５】
プリンタコントローラ１ｂは、コントローラ制御部１１、ＤＲＡＭ制御ＩＣ１２、画像メモリ１３、ＬＡＮＩＦ１４から構成される。
【００４６】
コントローラ制御部１１は、プリンタコントローラ１ｂ各部の動作を統括的に制御し、ＬＡＮＩＦ１４を介して、外部装置２から入力されるデータをジョブとして本体部１ａへ送信する。
【００４７】
ＤＲＡＭ制御ＩＣ１２は、ＬＡＮＩＦ１４により受信されたデータの画像メモリ１３への格納や、画像メモリ１３からのデータの読み出しを制御する。また、ＤＲＡＭ制御ＩＣ１２は、画像制御基板１００のＤＲＡＭ制御ＩＣ１６０とＰＣＩ（Peripheral Components Interconnect）バスで接続されており、コントローラ制御部１１からの指示に従って、プリント対象のデータを画像メモリ１３から読み出してＤＲＡＭ制御ＩＣ１６０に出力する。
【００４８】
画像メモリ１３は、ＤＲＡＭから構成され、入力された出力データを一時的に格納する。
【００４９】
ＬＡＮＩＦ１４は、ＮＩＣ（Network Interface Card）やモデム等のＬＡＮ等のネットワーク３に接続するための通信インターフェイスであり、外部装置２からデータを受信する。受信されたデータは、ＤＲＡＭ制御ＩＣ１２に出力される。
【００５０】
次に、画像形成装置１の動作について説明する。
図３に、画像形成装置１が起動された際に制御部１１０によって実行される追い越し処理のフローチャートを示す。追い越し処理は、制御部１１０と不揮発メモリ１２０に記憶されたプログラムとの協働により実行される。
【００５１】
まず、ＬＣＤ３１に表示された操作画面の確認出力釦（図示せず）がタッチパネル３２により押下されたか否かが判断される（ステップＳ１）。この確認出力釦は、不揮発メモリ１２０に予約されたジョブのうち、予約順が最初のジョブ（先頭ジョブ）が確認出力が設定されていた場合に確認出力を指示するためのものである。
【００５２】
押下されたと判断されない場合（ステップＳ１；ＮＯ）、処理はステップＳ１に戻り、再度ＬＣＤ３１に表示された操作画面の確認出力釦がタッチパネル３２により押下されたか否かが判断される。
【００５３】
押下されたと判断された場合（ステップＳ１；ＹＥＳ）、画像形成部４３によって先頭ジョブの確認出力が実行される（ステップＳ２）。確認出力が実行されると、画像形成部４３による画像形成が停止され、ＬＣＤ３１に確認停止画面Ｇ１が表示される（ステップＳ５）。
【００５４】
図４に、ステップＳ５において表示される確認停止画面Ｇ１の一例を示す。図４に示すように、確認停止画面Ｇ１は、確認出力が実行されて停止しているジョブの詳細情報を表示するための設定内容表示領域Ｇ１ａ、確認出力が実行されて停止しているジョブが複数ある場合に表示の切替を行うための次頁釦Ｂ１１及び前頁釦Ｂ１２、設定内容表示領域Ｇ１ａに表示されているジョブの設定内容を変更するための設定変更釦Ｂ１３、設定内容表示領域Ｇ１ａに表示されているジョブの確認出力を実行するための確認出力釦Ｂ１４、後述する任意ジョブ確認出力処理を実行するための任意ジョブ確認出力釦Ｂ１５、設定内容表示領域Ｇ１ａに表示されているジョブの本出力を実行するための本出力釦Ｂ１６等から構成される。設定内容表示領域Ｇ１ａは、対象ジョブのジョブデータが不揮発メモリ１２０から読み出されることにより表示される。
【００５５】
ＬＣＤ３１に表示された確認停止画面Ｇ１の各釦のうちタッチパネル３２等から入力された釦（入力キー）が何であるかが判断される（ステップＳ７）。
入力キーが確認出力釦Ｂ１４であると判断された場合（ステップＳ７；確認出力）、処理はステップＳ３に戻り、設定内容表示領域Ｇ１ａに表示されているジョブの確認出力が実行される。
【００５６】
入力キーが設定変更釦Ｂ１３であると判断された場合（ステップＳ７；設定変更）、図示しない操作画面等からの入力により設定内容表示領域Ｇ１ａに表示されているジョブの設定変更が実行され（ステップＳ９）、処理はステップＳ５に戻る。ステップＳ９においては、変更された設定に基づいて、不揮発メモリ１２０に記憶された対応するジョブデータが上書きされる。
【００５７】
入力キーが任意ジョブ確認出力釦Ｂ１５であると判断された場合（ステップＳ７；任意ジョブ確認出力）、追い越し確認出力ジョブ選択処理が実行され（ステップＳ１１）、処理はステップＳ５に戻る。
【００５８】
図５に、ステップＳ１１において実行される追い越し確認出力ジョブ選択処理のフローチャートを示す。図５に示すように、まず、ＬＣＤ３１に追い越し確認出力ジョブ選択画面Ｇ２が表示される（ステップＳ１１１）。
【００５９】
図６に、ステップＳ１１１において表示される追い越し確認出力ジョブ選択画面Ｇ２の一例を示す。図６に示すように、追い越し確認出力ジョブ選択画面Ｇ２は、不揮発メモリ１２０に予約されているジョブのうち確認出力が設定されているジョブの一覧を表示するためのジョブ表示釦Ｂ２１ａ〜Ｂ２１ｈ、このジョブが多数ある場合に表示切替を行うための次頁釦Ｂ２２及び前頁釦Ｂ２３、ジョブ表示釦Ｂ２１ａ〜Ｂ２１ｈのうち選択されたジョブの確認出力を実行するための確認出力釦Ｂ２４、追い越し確認出力ジョブ選択画面Ｇ２をＬＣＤ３１から消去させるための終了釦Ｂ２５等から構成される。ジョブ表示釦Ｂ２１ａ〜Ｂ２１ｈは、プリントキューに予約されているジョブのうち、ジョブデータに確認出力が設定されているジョブのジョブデータが不揮発メモリ１２０から読み出されることにより表示される。
【００６０】
ＬＣＤ３１に表示された追い越し確認出力ジョブ選択画面Ｇ２の各釦のうちタッチパネル３２等から入力された釦（入力キー）が何であるかが判断される（ステップＳ１１３）。
【００６１】
入力キーがジョブ表示釦Ｂ２１ａ〜Ｂ２１ｈの何れかであると判断された場合（ステップＳ１１３；任意のジョブを選択）、ジョブ表示釦Ｂ２１ａ〜Ｂ２１ｈのうち選択された何れかが網掛け表示となり、ＲＡＭ１３０の所定領域にこの選択されたジョブを識別する情報（ジョブＩＤ等）が記憶されることにより、確認出力の対象にこの選択されたジョブがセットされ（ステップＳ１１５）、処理はステップＳ１１３に戻る。
【００６２】
入力キーが確認出力釦Ｂ２４であると判断された場合（ステップＳ１１３；確認出力）、追い越し確認出力処理が実行される（ステップＳ１１７）。
【００６３】
図７に、ステップＳ１１７において実行される追い越し確認出力処理のフローチャートを示す。図７に示すように、ＲＡＭ１３０にセットされている確認出力の対象のジョブの確認出力が画像形成部４３によって実行される（ステップＳ１１７１）。次いで、ＬＣＤ３１に追い越し確認出力停止画面Ｇ３が表示される（ステップＳ１１７３）。
【００６４】
図８に、ステップＳ１１７３において表示される追い越し確認出力停止画面Ｇ３の一例を示す。図８に示すように、追い越し確認出力停止画面Ｇ３は、ステップＳ１１７１において確認出力されたジョブの詳細を表示するための設定内容表示領域Ｇ３ａ、任意ジョブ確認出力処理を実行するための任意ジョブ確認出力釦Ｂ３１、設定内容表示領域Ｇ３ａに表示されているジョブの設定内容を変更するための設定変更釦Ｂ３２、設定内容表示領域Ｇ３ａに表示されているジョブの確認出力を実行するための確認出力釦Ｂ３３、設定内容表示領域Ｇ３ａに表示されているジョブの確認出力設定を解除させるための確認解除釦Ｂ３４、追い越し確認出力処理を終了するための終了釦Ｂ３５等から構成される。設定内容表示領域Ｇ３ａは、設定内容表示領域Ｇ１ａと同様に、不揮発メモリ１２０に記憶されたジョブデータが読み出されることにより表示される。
【００６５】
ＬＣＤ３１に表示された追い越し確認出力停止画面Ｇ３の各釦のうちタッチパネル３２等から入力された釦（入力キー）が何であるかが判断される（ステップＳ１１７５）。
入力キーが任意ジョブ確認出力釦Ｂ３１であると判断された場合（ステップＳ１１７５；任意ジョブ確認出力）、図５に示す追い越し確認出力ジョブ選択処理が実行され（ステップＳ１１７７）、処理はステップＳ１１７３に戻る。
【００６６】
入力キーが確認解除釦Ｂ３４であると判断された場合（ステップＳ１１７５；確認停止解除）、設定内容表示領域Ｇ３ａに表示されているジョブのＲＡＭ１３０に記憶されている確認出力設定が解除され（ステップＳ１１７９）、処理はステップＳ１１７３に戻る。
【００６７】
入力キーが設定変更釦Ｂ３２であると判断された場合（ステップＳ１１７５；設定変更）、設定内容表示領域Ｇ３ａに表示されているジョブの設定が変更されて不揮発メモリ１２０に記憶され（ステップＳ１１８１）、処理はステップＳ１１７３に戻る。
【００６８】
入力キーが確認出力釦Ｂ３３であると判断された場合（ステップＳ１１７５；確認出力）、処理はステップＳ１１７１に戻る。
【００６９】
入力キーが終了釦Ｂ３５であると判断された場合（ステップＳ１１７５；終了）、処理はステップＳ５に戻る。
【００７０】
一方、入力キーが本出力釦Ｂ１６であると判断された場合（ステップＳ７；本出力）、処理は終了する。
【００７１】
以上のように、本実施の形態における画像形成装置によれば、先頭ジョブの確認出力が実行されて画像形成が一時停止している際に、追い越し処理によってタッチパネル等から指定された任意のジョブの確認出力を実行することができる。このジョブの確認出力を実行させた後に、設定変更や確認出力設定の解除を行うこともできるので、ユーザが確認出力によって印刷物を確認している間であっても、効率のよいジョブ実行を行うことができる。
【００７２】
なお、上述した本実施の形態における記述は、本発明に係る好適な後処理装置の一例であり、これに限定されるものではない。例えば、本実施の形態においては、確認停止画面からの入力により、設定変更を可能としたが、操作部からの入力によって確認出力のジョブに関する各種設定が変更できればよく、これに限られない。例えば、別のウィンドウがＬＣＤに表示され、この画面から入力されるようにしてもよい。
【００７３】
また、本実施の形態における不揮発メモリ以外のその他のコンピュータ読み取り可能な媒体として、ＳＤ（Secure Digital）カードやＵＳＢ（Universal Serial Bus）メモリのようなフラッシュメモリ、ＣＤ−ＲＯＭ等の可搬型記録媒体を適用することが可能である。また、本発明に係るプログラムのデータや音声データ等の各種データを、搬送波（キャリアウェーブ）に重畳させて通信回線を介して提供することも可能である。
【００７４】
その他、画像形成装置の細部動作に関しても、本発明の趣旨を逸脱することのない範囲で適宜変更可能である。
【符号の説明】
【００７５】
１  画像形成装置
１ａ  本体部
１ｂ  プリンタコントローラ
２  外部装置
３  ネットワーク
１１  コントローラ制御部
１２  ＤＲＡＭ制御ＩＣ
１３  画像メモリ
１４  ＬＡＮＩＦ
１００  画像制御基板
１１０  制御部
１２０  不揮発メモリ
１３０  ＲＡＭ
１４０  読取処理部
１５０  圧縮ＩＣ
１６０  ＤＲＡＭ制御ＩＣ
１７０  画像メモリ
１７１  圧縮メモリ
１７２  ページメモリ
１８０  伸長ＩＣ
１９０  書込処理部
２０  画像読取部
２１  自動原稿送り部
２２  読取部
２２ａ  ＣＣＤ
２００  画像読取制御部
３０  操作表示部
３１  ＬＣＤ
３２  タッチパネル
３００  操作表示制御部
４０  プリント部
４１  給紙部
４１ａ  給紙トレイ
４２  給紙搬送部
４２ａ  レジストローラ
４３  画像形成部
４３ａ  転写装置
４３ｂ  定着装置
４４  搬出部
４００  プリント制御部
５０  後処理部
Ｔ１  原稿トレイ
Ｔ２  手差しトレイ
Ｔ３  排紙トレイ
ｄ  原稿
Ｐ  用紙
【図１】
2010286625.tif 000003
【図２】
2010286625.tif 000004
【図３】
2010286625.tif 000005
【図４】
2010286625.tif 000006
【図５】
2010286625.tif 000007
【図６】
2010286625.tif 000008
【図７】
2010286625.tif 000009
【図８】
2010286625.tif 000010